(57)【要約】【課題】      胸回りが高くなるように支えるとともに、内方向に集中させるという目的を達成するとともに、製造コストを抑制し、生産性を高めることのできるブラジャーのワイヤを提供する。【解決手段】  一体に形成され、かつ半円弧状に近い形状を呈し、ブラジャーの左右のカップ外周縁部にそれぞれ編み込んで形成する内部空間内に設けられ、かつ左右対称のワイヤであって、該ワイヤの両方の端縁部がそれぞれ身体の方向に向かって湾曲してねじれ、応力を具える形状とし、かつ該ワイヤの端縁部が側面から見た場合、それぞれ同一の水平線上に位置することなく、二股に分かれるように形成するとともに、一方の端縁部を他の端縁部に比して高くし、高い方の端縁部が乳房の外側に位置するように設けられる。【選択図】    図３
0003105778.tif 000002
【実用新案登録請求の範囲】
【請求項１】
一体に形成され、かつ半円弧状に近い形状を呈し、ブラジャーの左右のカップ外周縁部にそれぞれ編み込んで形成する内部空間内に設けられ、かつ左右対称のワイヤであって、
該ワイヤの両方の端縁部がそれぞれ身体の方向に向かって湾曲してねじれ、応力を具える形状とし、かつ該ワイヤの端縁部が側面から見た場合、それぞれ同一の水平線上に位置することなく、二股に分かれるように形成するとともに、一方の端縁部を他の端縁部に比して高くし、高い方の端縁部が乳房の外側に位置するように設けられることを特徴とするブラジャーのワイヤ。
【請求項２】
前記ワイヤのねじれ開始範囲が、乳首を通過する垂直の線と、これに直交する線上にあって、かつ該直交点から所定の距離を置いた箇所に位置し、該ねじれ開始範囲において徐々にねじれて湾曲することを特徴とする請求項１に記載のブラジャーのワイヤ。
【請求項３】
前記ワイヤの幅が均等か、もしくは不均等であることを特徴とする請求項１に記載のブラジャーのワイヤ。
【請求項４】
前記ワイヤの幅が内方向である身体の中心線側の端縁部の幅を細くし、乳房の外側の端縁部に向かって徐々に広がり、一方に比してやや広く形成することを特徴とする請求項１もしくは請求項３に記載のブラジャーのワイヤ。
【考案の詳細な説明】
【技術分野】
【０００１】
本考案は、ブラジャーのワイヤの改良構造に関する。
【背景技術】
【０００２】
現代に至り、社会的観念がますます開放的となり、過去における保守的な観念は、国外の文化の影響、もしくは異なる種族の人同士の交流などによって変化し、国民の観念も開放的になってきている。特に現代における女性意識の台頭によって、女性は時代の先端を歩むようになってきた。女性のファッションについていえば、内在的な各種条件を兼ね備えていることのみならず、身体のスタイル、曲線、容貌などが重視されている。その内、スタイルについて言えば、一般に女性が最も注目するのはバストの形状であって、ブラジャーがバスト形状を固定するのに重要な役割を果たしている。
【０００３】
図１、２は、従来のブラジャーを開示する。図面によれば、ブラジャー（１０）はカップ（１１）の外周縁部（１１１）内に編み込むようにして空間を形成し、該空間にワイヤ（２０）を収納する。該ワイヤ（２０）はカップ（１１）の外周縁部に沿った円弧状を呈し、かかる構成によって従来のブラジャー（１０）を形成する。係る構成は、ブラジャー（１０）を着けた場合、胸の形を固定する機能を有するが、しかし、実際に使用する場合、その機能を完全に果たしているとは言い難い。
【０００４】
従来のブラジャー（１０）は、ワイヤ（２０）が全体的に円弧状を呈する形状になっている。ワイヤ（２０）は女性の乳房を持ち上げるように支えて固定する機能を有する。これは乳房が垂れ下がることを防ぐためである。また、乳房が外方向に拡張する現象について、従来のブラジャー（１０）のカップ（１１）の内部、もしくは外部で乳房の外側を被覆する適宜な位置に編み込む密度を高めるか、もしくは厚みを増して高くなるように強化した生地を設けて、ブラジャー（１０）を着けた場合乳房が外方向に拡張する現象を防ぎ、内方向に集中するようにしている。よって、従来のブラジャー（１０）は胸回りが高くなるように支えるとともに、内方向に集中させるという２つの重要な目的を有する。
【０００５】
しかし、従来のブラジャー（１０）において、上述する２つの重要な目的をより完全に達成するためには、ワイヤ（２０）と、ブラジャー（１０）のその他部位において、大幅な改良を必要とする。このため、従来のブラジャー（１０）において、上述する２つの重要な目的をより完全に達成しようとすれば、製造コストが高くなり、経済的効果に影響を与えるのみならず、製造工程も煩雑になり生産性を低下させることになる。よって、単なる構造上の改良で上述の２つの目的を達成することは難しい。
【０００６】
さらに、弾性を具えないボディースーツに応用する場合、使用者が使用した状態において応力が発生し、ワイヤ（１０）に近接した箇所、もしくはカップ（１１）の下端縁部に皺（１１２）が容易に発生する。かかる現象は、使い心地に影響を与えるとともに、人体工学における胸腔の骨格の排列に係る要求にそぐわないものとり、隙間が生じて身体にフィットしなくなる。したがって、かかる欠点を如何にして改善するかが、業界において技術開発の課題となっている。
【考案の開示】
【考案が解決しようとする課題】
【０００７】
本考案は、胸回りが高くなるように支えるとともに、内方向に集中させるという目的を達成するとともに、製造コストを抑制し、生産性を高めることのできるブラジャーのワイヤを提供することを課題とする。
【０００８】
また、本考案は、弾性を具えない生地によるボディースーツに応用した場合、カップの周囲の皺の発生を防ぐとともに、人体にフィットして、かつ身体工学の要求に適うようにするブラジャーのワイヤを提供することを課題とする。
【課題を解決するための手段】
【０００９】
そこで、本考案者は、従来の技術に見られる欠点に鑑み鋭意研究を重ねた結果、ブラジャーのねじれを有するワイヤの構造によって課題を解決できる点に着眼し、かかる知見に基づいて本考案を完成させた。
【００１０】
以下、本考案について具体的に説明する。
請求項１に記載するブラジャーのワイヤは、一体に形成され、かつ半円弧状に近い形状を呈し、ブラジャーの左右のカップ外周縁部にそれぞれ編み込んで形成する内部空間内に設けられ、かつ左右対称のワイヤであって、
該ワイヤの両方の端縁部がそれぞれ身体の方向に向かって湾曲してねじれ、応力を具える形状とし、かつ該ワイヤの端縁部が側面から見た場合、それぞれ同一の水平線上に位置することなく、二股に分かれるように形成するとともに、一方の端縁部を他の端縁部に比して高くし、高い方の端縁部が乳房の外側に位置するように設けられる。
【００１１】
請求項２に記載するブラジャーのワイヤは、請求項１におけるワイヤのねじれ開始範囲が、乳首を通過する垂直の線と、これに直交する線上にあって、かつ該直交点から所定の距離を置いた箇所に位置し、該ねじれ開始範囲において徐々にねじれて湾曲する。
【００１２】
請求項３に記載するブラジャーのワイヤは、請求項１におけるワイヤの幅が均等か、もしくは不均等である。
【００１３】
請求項４に記載するブラジャーのワイヤは、請求項１、もしくは請求項３における記ワイヤの幅が内方向である身体の中心線側の端縁部の幅を細くし、乳房の外側の端縁部に向かって徐々に広がり、一方に比してやや広く形成する。
【考案の効果】
【００１４】
本考案のブラジャーのワイヤは、生産コストを抑え、かつ生産性を低下させることなく、好ましい使い心地が得られ、乳房を支えて下垂しないようにするのみならず、左右の乳房を内方向に集中させて所定の位置に固定し、外方向に拡張しないようにするブラジャーが得られるという効果が得られるという利点がある。
【考案を実施するための最良の形態】
【００１５】
本考案は、ブラジャーのワイヤの改良構造を提供するものであって、ブラジャーのカップの外周縁部に設けられ、かつ該ワイヤはねじれて湾曲する。かかわるブラジャーのワイヤについて、その構造と特徴を詳述するために具体的な実施例を挙げ、以下に説明する。
【実施例】
【００１６】
図３、４に開示するように、本考案によるブラジャーのカップは、一体に形成され、かつ半円弧状に近い形状のワイヤ（２０’）によってなる。ワイヤ（２０’）は、幅が均等か、もしくは不均等でもよく、円弧状に湾曲し、従来のものと同様に、ブラジャーのカップの外周縁部に編み込んで形成する内部空間に収納する。ワイヤ（２０’）の両方の端縁部（２１’）（２２’）は、それぞれ身体の方向に向かって湾曲してねじれ、応力を具える。よって、ワイヤ（２０’）の端縁部（２１’）（２２’）は、側面から見た場合、それぞれ同一の水平線上に位置することなく、二股に分かれている。しかも、一方の端縁部（２１’）は、他の端縁部（２２’）に比して高くする。
かかる構造によって胸回りが高くなるように支えるとともに、内方向に集中させるという目的を達成するとともに、従来のブラジャーにおいて編み込む部分を強化するための煩雑な製造工程を省き、もしくは強化した生地を用いることによって発生するコスト高の不経済性という欠点を改善することができる。
【００１７】
図５に開示するように、ワイヤ（２０’）は、左右対の構造で、それぞれ人体の胸部の左右側に用いられ、かつ両方の端縁部（２１’）（２２’）は二股形状を呈し、一方の端縁部（２１’）は他の端縁部（２２’）よる高くする。よって、ワイヤ（２０’）をブラジャーのカップに設けると端縁部（２１’）（２２’）に、互いに抗する応力が発生する。よって、乳首を通過する垂直の線に直交する線上のワイヤ（２０’）上の一点をねじれ開始範囲（２３’）とする。該ねじれ開始範囲（２３’）を地面において垂直に立てた場合、従来のワイヤ（２０）の両端縁部（２１）、（２２）を通過する水平線に対応する。また、ワイヤ（２０’）の身体の中心線側の端縁部（２１’）は、図４に開示するように従来のワイヤ（２０）の端縁部（２１）に比して、内方向への湾曲が大きくなるように形成する。言い換えれば、内奉方向湾曲して傾斜状態を呈する端縁部（２１’）によって乳房の外側が支持されて位置決めされ、乳房を集中できず外方向に拡張するといった不良現象を防ぐことができる。
【００１８】
また、ワイヤ（２０’）の円弧状に湾曲した曲線は、実際に使用する場合、女性の胸部、もしくは胸腔の曲線に関して、好ましい使い心地が得られる。即ち、人体の胸腔における骨格の各部位の曲線に適合し、人体工学から見て人体にフィットするものである。しかも、従来のブラジャーのように、乳房を集中させるために編み込みの強化を大幅に行ったり、強化した生地を用いたりすることがないため、生産性が高まり、コストを低減させることができる。当然のことながら、乳房を支え、下垂しないようにするのみならず、左右の乳房を内方向に集中させて所定の位置に固定し、外方向に拡張しないようにするという効果が得られる。
【００１９】
本考案によるワイヤ（２０’）は、幅が均等であっても、不均等であってもよいが、図６に開示するように不均等にする場合は、内方向である身体の中心線側の端縁部（２２’）の幅を細く、乳房の外側の端縁部（２１’）に向かって徐々に広がり、一方に比してやや広く形成する。
【００２０】
ワイヤ（２０’）の捻れ開始範囲（２３’）は、乳首を通過する垂直の線と、これに直交する線上にあって、該直交点から所定の距離を置いて箇所に位置するまた、ねじれ開始範囲は、徐々にねじれて湾曲する。よって、湾曲したあとの形状は人体工学の要求に適うものであって、好ましい使い心地が得られる。
以上は本考案の好ましい実施例であって、本考案の実施の範囲を限定するものではない。よって、当業者のなし得る修正、もしくは変更であって、本考案の技術思想の下においてなされ、本考案に対して均等の効果を有するものは、いずれも本考案の実用新案登録請求の範囲に属するものである。
【図面の簡単な説明】
【００２１】
【図１】従来のブラジャーの斜視図である。
【図２】従来のワイヤの説明図である。
【図３】本考案によるワイヤの説明図である。
【図４】図３に開示するワイヤの構造を表す説明図である。
【図５】図３に開示するワイヤの使用状態を表す説明図である。
【図６】本考案によるワイヤの他の使用態様を表す斜視図である。
【符号の説明】
【００２２】
１０            ブラジャー
１１            カップ
１１１          該外周縁部
１１２          皺
２０            ワイヤ
２１、２２      端縁部
２０’          ワイヤ
２１’、２２’  端縁部
２３’          ねじれ開始範囲
【図１】
0003105778.tif 000003
【図２】
0003105778.tif 000004
【図３】
0003105778.tif 000005
【図４】
0003105778.tif 000006
【図５】
0003105778.tif 000007
【図６】
0003105778.tif 000008